(57)【特許請求の範囲】
【請求項１】
一端に固定基部、他端にディスプレイが設けられたアームによりディスプレイを任意方向に移動自在に支持するディスプレイ支持装置であって、
前記アームの他端側に、左右一対の支持片を有する支持体を設け、該支持体の両支持片の各々に対応して配置される取付片を軸着してディスプレイ取付部材を上下に回動可能に設け、
対向する支持片と前記取付片同士を、頭部を有する一対の枢軸を内側から外方に挿通して左右別々に同一軸線上で軸着し、前記両頭部間にねじりコイルバネのコイル部を装着し、前記支持体に対して前記ディスプレイ取付部材を、前記枢軸を中心として上方に回動付勢するようにしたことを特徴とするディスプレイ支持装置。
【請求項２】
前記両支持片と取付片同士が、上下回動に対し摩擦抵抗を有する摩擦部材を介して前記枢軸により軸着されている請求項１に記載のディスプレイ支持装置。
【請求項３】
前記枢軸の一端にはネジが形成され、摩擦部材を挿通したネジ部に締付部材を螺合し、該締付部材の締め加減により前記支持片と取付片間の摩擦力を調整可能にして成る請求項１または２に記載のディスプレイ支持装置。
【請求項４】
前記締付部材は、該締付部材並びに該締付部材に対応する近傍の側壁には、対応する位置にそれぞれ目盛りが刻設されている請求項３に記載のディスプレイ支持装置。
【請求項５】
前記摩擦部材は、回動方向に摺動する接触面が前記枢軸の軸線方向にテーパー状に形成されて成る請求項２または３に記載のディスプレイ支持装置。
【発明の詳細な説明】
【０００１】
【発明の属する技術分野】
本発明は、主に机上等でディスプレイを移動自在に支持するディスプレイ支持装置に係わり、特にアームの端部に取付けられるディスプレイを所定の方向に向ける回動操作性を改良したディスプレイ支持装置に関する。
【０００２】
【従来の技術】
近年、主にパソコンやテレビ等のディスプレイとして、薄型の液晶ディスプレイやプラズマディスプレイ等が急速に普及しつつある。このような液晶ディスプレイはこれまでの主流だったＣＲＴ等に比べて薄型であるため、例えばオフィスや家庭における机上で使用しようとする場合においても広いスペースを占有することがなく便利であった。
【０００３】
このような液晶ディスプレイを支持する技術として例えば特開平５−２１０４３０号公報に開示されており、この技術はアームを上方に付勢する圧縮バネを内装し、この圧縮バネの付勢力によって先端に取り付けられた所定重量のディスプレイを容易に上方に回動可能とし、かつディスプレイの急速な落下を防止するようにしたものである。
【０００４】
このようなディスプレイ支持装置では、ディスプレイの急速な落下を防止することはできるものの、特に液晶画面のような場合には使用者側からの視角によっては見え難くなるため、使用者によってディスプレイの回動角度の調整を行う必要がある。
【０００５】
そこで、ディスプレイの回動角度の調整を行う際には手を延ばしてディスプレイの回動軸に螺着しているナットが緩められる。ところがディスプレイ自体は所定の重量を有していることから、ナットを緩めた際に自重の作用で回動軸を中心として急激に下向きの回転力（負荷）が作用する危険性を有するため、予めディスプレイを一方の手で支え他方の手でナットを緩める両手を伸ばした姿勢で作業が行われている。このため、従来のディスプレイ支持装置では、ディスプレイの回動角度を調整する際の操作性が悪く、使用者側にとっては使い難い問題を有していた。
【０００６】
このような、問題点を解決したものとして特開平９−２８５３４１号公報が知られている。
【０００７】
すなわち、これはアーム他端のディスプレイ取付け部に位置決め機構を有するもので、この位置決め機構は、アームの他端側に、左右に一対の支持片を有する二股状のＣ型アームが設けられてあり、このＣ型アームの両支持片にはディスプレイ取付け用のブラケットが先端にネジを設けたピンを介して上下に回動可能に枢支されている。
【０００８】
両支持片とブラケットとの間にはゴム板がピンを介して挟持され、該ピンの先端に雌ネジが形成された摘みを螺合し、この摘みを強く締め付けることによりゴム板が両支持片とブラケットとの間で圧縮されてその摩擦力が増大し、ディスプレイの回動角度を所望の角度位置に保持できるようになっている。
【０００９】
更に、摘みとＣ型アームの両支持片との間にはそれぞれ、ねじりコイルバネが介装されており、ピンを介して取付けられたディスプレイの下部を持ち上げる方向に付勢してディスプレイ自重とのバランスをとることにより、ディスプレイの回動角度を調整する際に該ディスプレイの自重の影響を軽減して回動時における操作が容易に行われるようになっている。
【００１０】
【発明が解決しようとする課題】
しかしながら、この種のディスプレイ支持装置によれば、ディスプレイの回動角度を調整するために、摘みを回動操作することにより左右のゴム板が締め付けられることとなるが、この際に左右のねじれコイルばねも同時に軸方向に圧縮されるため、ねじれコイルばねの機能が十分に発揮できなくなる問題を有するばかりか、ねじれコイルばねが左右別個に設けられていることから、左右の摘みを均等に調整することが困難なため、強い方のねじれコイルばねの付勢力が一方のブラケットのみに作用して、適正なバネの付勢力が得られない問題点を有していた。
【００１１】
本発明は、このような問題点に着目してなされたもので、アームの端部に取付けられて移動自在に支持されるディスプレイの上下角度を調整する際に、ディスプレイの自重による負荷が軽減されてディスプレイの上下角度の設定が容易になるばかりか、ディスプレイの自重に対し適正な付勢力を付与することができるディスプレイ支持装置を提供することを目的とする。
【００１２】
【課題を解決するための手段】
上記課題を解決するために、本発明のディスプレイ支持装置は、一端に固定基部、他端にディスプレイが設けられたアームによりディスプレイを任意方向に移動自在に支持するディスプレイ支持装置であって、
前記アームの他端側に、左右一対の支持片を有する支持体を設け、該支持体の両支持片の各々に対応して配置される取付片を軸着してディスプレイ取付部材を上下に回動可能に設け、
対向する支持片と前記取付片同士を、頭部を有する一対の枢軸を内側から外方に挿通して左右別々に同一軸線上で軸着し、前記両頭部間にねじりコイルバネのコイル部を装着し、前記支持体に対して前記ディスプレイ取付部材を、前記枢軸を中心として上方に回動付勢するようにしたことを特徴としている。
この特徴によれば、アームの他端側に設けられる支持体左右の支持片とディスプレイ取付部材の両取付片同士が枢軸により別々に軸着されて、両枢軸間にねじりコイルバネが介装されるので、ディスプレイの上下回動角度を調整する際に、ディスプレイの自重による負荷が軽減されて回動操作性が容易になるばかりか、従来のように左右の枢軸の軸着度合いに影響されることなく、ディスプレイ取付部材がねじりコイルバネに設定された適正な付勢力が、ディスプレイの自重による負荷が軽減される方向に付勢されるためディスプレイの上下角度を容易に設定することができる。
【００１３】
本発明のディスプレイ支持装置は、前記両支持片と取付片同士が、上下回動に対し摩擦抵抗を有する摩擦部材を介して前記枢軸により軸着されていれば好ましい。
このようにすれば、両支持片と取付片同士の上下回動位置が、枢軸を軸着することにより生ずる摩擦部材の摩擦力により、上方に付勢されるディスプレイ取付部材を所望の角度位置に容易に位置決めすることができる。
【００１４】
本発明のディスプレイ支持装置は、前記枢軸の一端にはネジが形成され、摩擦部材を挿通したネジ部に締付部材を螺合し、該締付部材の締め加減により前記支持片と取付片間の摩擦力を調整可能にして成れば好ましい。
このようにすれば、ディスプレイの自重とねじりコイルバネの付勢力とのバランスが微妙に崩れてディスプレイが上方又は下方への回動力が生じても、締付部材の締め加減により適正な角度位置に設定することができる。
【００１５】
本発明のディスプレイ支持装置は、前記締付部材が、該締付部材並びに該締付部材に対応する近傍の側壁には、対応する位置にそれぞれ目盛りが刻設されていれば好ましい。
このようにすれば、ディスプレイを適正な締め加減により常に所望の角度位置に締め付けることができる。
【００１６】
本発明のディスプレイ支持装置は、前記摩擦部材が、回動方向に摺動する接触面が前記枢軸の軸線方向にテーパー状に形成されて成れば好ましい。
このようにすれば、相互の接触面がテーパー状に形成されているので、締付部材の弱い締め付け力でも大きな摩擦力を得ることができ、ディスプレイを所望の角度位置に確実に位置決めすることができる。
【００１７】
【発明の実施の形態】
以下、本発明の実施形態を図面に基づいて説明する。図１は本発明のディスプレイ支持装置が取り付けられるアームの側面図、図２は本発明のディスプレイ支持装置が取り付けられたアームの動作説明図、図３はアームの内部構造を示す一部破断断面図、図４は図３のＢ−Ｂ断面図、図５は図１のＡ−Ａ断面図、図６は本発明の第１実施形態としてのディスプレイ支持装置の一部を構成するディスプレイホルダの分解組立斜視図であり、図７はディスプレイホルダの平面図である。
【００１８】
先ず図１には、液晶のディスプレイ１が、机の天板２上に取り付けられたディスプレイ支持装置としてのアーム装置３により支持されている状態が示されている。
【００１９】
最初にアーム装置３につき説明すると、図１〜図４に示されるように、アーム装置３は、ディスプレイ１側のアーム１２他端に垂直に保持される第１垂直軸７と、この反対側の天板２側に設けられる第２垂直軸８とに、前後両端がそれぞれ水平軸９ａ〜９ｄにより上下方向に回動自在に軸着された第１リンク１０と第２リンク１１とで平行リンクを構成するアーム１２とで構成され、第２垂直軸８の下部を軸心周りに回動自在に支持するとともに、下部に天板２に対して着脱自在とするブラケット１４を有する固定基部１５とから構成されている。なお、アーム装置３の天板２への取付けはブラケット１４以外の種々の方法により取付可能である。
【００２０】
そして、アーム１２の他端側には、該アーム１２の他端に設けられた第１垂直軸７に一端が左右方向に水平回動可能に軸着された支持体１３と、該支持体１３に回動可能に軸着されたディスプレイ取付部材４とからなるディスプレイホルダＨが保持されている。
【００２１】
第１リンク１０は、長手方向に対して垂直な断面が下向き略コ字形をなす板部材により構成されており（図５参照）、この第１リンク１０の左右側板１０ａの前後には、水平軸９ａ、９ｂの挿通孔が形成されている。第２リンク１１は、前後位置にそれぞれ水平軸９ｃ、９ｄの挿通孔が形成された２枚の側板１１ａからなり、側板１１ａはそれぞれ第１リンク１０の側板１０ａの内側に位置するように設けられている。
【００２２】
これら２枚の側板１１ａの内面には、図５に示されるように、左右の垂直板３３ａと、水平板３３ｂと、垂直板３３ａの下端縁と水平板３３ｂの左右端縁とを連設する傾斜板３３ｃとから構成される区画板３３の垂直板３３ａの外面が固着されており、左右の側板１１ａが区画板３３により連結されている。この区画板３３は、後述するコイルバネの外周面に沿うようにアーム１２の長手方向に設けられており、この区画板３３と、下向きに開口する第１リンク１０と、側板１１ａとにより、アーム１２内に空間部Ｓが形成されている。
【００２３】
空間部Ｓ内には、図１、図２、図５に示されるように、一端が水平軸９ｃに係止され、他端が付勢力調整機構３４（図２参照）を介して水平軸９ｂに係止されている略円筒形をなすコイルバネ３５が収納されている。コイルバネ３５は引っ張りバネであり、アーム１２の下方への回動に伴い伸長する。
【００２４】
第２リンク１１の左右側板１１ａの下端は、図５に示されるようにそれぞれ区画板３３の垂直板３３ａと傾斜板３３ｃとの連設部よりも下方に垂下されており、それぞれの側板１１ａの下部には、係合孔３６が長手方向の複数箇所に形成されている。３７は、長手方向に対して垂直な断面が上向き略コ字形をなす合成樹脂製のカバー部材であり、側板の上部外側に形成された係止部３８を係合孔３６に対して係脱させることにより、第２リンク１１の下方に着脱自在に取付け出来るようになっている。
【００２５】
このカバー部材３７が第２リンク１１の下方に取り付けられることにより、図５に示されるように区画板３３の下方における左右側に、すなわち傾斜板３３ｃの外側に第２リンク１１の長手方向に延びる電源コードやケーブル類の配線収納空間３９が形成される。
【００２６】
この配線収納空間３９は、カバー部材３７の底面が区画板３３に近接するように取り付けられても、コイルバネ３５の周面に沿うように設けられる傾斜板３３ｃにより確実に確保される。よって、カバー部材３７を下方に大きく張し、アーム１２全体に上下の厚みを形成することなく、複数本の電源コードやケーブル類をコンパクトに収納することが出来る。
【００２７】
第２垂直軸８は、図３に示されるように、上下が開口する筒状部材８ａと、この筒状部材８ａ内の略中心部に、取付板４０介して取り付けられる筒状部材４１とから構成されており、筒状部材８ａの上部には、第１リンク１０及び第２リンク１１を支持する水平軸９ｂ、９ディスプレイの挿通孔が形成された支持板８ｂが固着されている。この筒状部材４１の直径は筒状部材８ａの直径よりも小径であり、筒状部材４１の外周面と筒状部材８ａの内面との間に、電源ケーブルやケーブル類挿通用の周状の配線収納空間４６が形成されている。この筒状部材４１内に、ブラケット１４の上板１４ａ上に立設された支持棒４２を挿通し、支持棒４２の上端面と筒状部材４１の蓋板下面とが摺接された状態で、筒状部材４１が支持棒４２の軸心周りに回動自在に支持される。
【００２８】
ブラケット１４の上板１４ａ上には、図４に示されるように、上面に支持棒４２を中心とする同心円弧状に形成された溝部４４が形成された支持部材４３が固設されている。この溝部４４内には、筒状部材４１の支持棒４２への挿通時において、筒状部材４１の外周面所定箇所に固着された棒材４５の下端が挿通されるようになっている。本実施例における溝部４４は半円弧形状に形成されており、棒材４５により第２垂直軸８の回転角度が約１８０度に規制されている。
【００２９】
支持部材４３後部の円弧の一部は直線状に切り欠かれており、筒状部材８ａの下部に、筒状部材８ａ内の配線収納空間４６内を挿通する電源コードやケーブル類を外部に延出するための開口が確保されている。また、この配線収納空間４６の上部も開口され、第２リンク１１のカバー部材３７により形成される配線収納空間３９に連通している。
【００３０】
第２リンク１１を構成する左右の側板１１ａの前方における上部所定箇所には、図１及び図５に示されるように、それぞれ内向きに屈曲される先端に係止溝４８を有する側面視Ｌ字形の係止片４７が形成されている。また、上板１０ｂの下面１０ｃには、係止溝４８に両端縁が係止される垂直片５１と、上面が上板１０ｂの下面１０ｃに摺接する摺接板５２とから側面視Ｌ字形に形成される摺接部材５３が、上板１０ｂの前方所定箇所に形成される挿通孔５０、及び摺接板５２に形成される長溝５４内を挿通する調整ボルト４９と、この他端に螺入されるナット５５との締め付けにより保持されている。なお、５６はナット５５の保護材である。
【００３１】
図４、図５に示されるように、アーム１２が上下動すると、第２リンク１１に設けられた係止片４７は第１リンク１０に対して前後方向に相対移動する。この移動に伴い、摺接部材５３の摺接板５２が、長溝５４を介して調整ボルト４９に案内されながら下面１０ｃに摺接した状態で長手方向に摺動するようになっている。
【００３２】
次に、本発明の第１実施形態としてのディスプレイ支持装置の一部を構成するディスプレイホルダＨについて図６、図７を参照して説明する。
【００３３】
このディスプレイホルダＨは、前述した図１、図２に示されるアーム１２の他端側に取り付けられたディスプレイ１をアーム１２により任意方向に移動自在に保持するものであって、アーム１２の他端に左右一対の支持片５８ａ、５８ｂを有する支持体１３と、該支持体１３の両支持片５８ａ、５８ｂの各々に対応して両側に配置された取付片５９ａ、５９ｂに、後述する枢軸６０ａを介して上下に回動可能に軸着されたディスプレイ取付部材４とで構成され、支持体１３後方の下面には前記アーム１２の他端に垂直に保持される第１垂直軸７が一体的に設けられている。
【００３４】
更に詳しくは、支持体１３の相対向する両支持片５８ａ、５８ｂとディスプレイ取付部材４の取付片５９ａ、５９ｂ同士は、これらの内側より一対の頭部６０ｂを有する枢軸６０ａを外方に向けて挿通することにより同一軸線上で左右別々に軸着されている。
【００３５】
そして、枢軸６０ａ頭部６０ｂの圧着部にはフランジが形成されると共に、該圧着面には角形の嵌合突起６０ｃが形成されており、両支持片５８ａ、５８ｂは、枢軸６０ａの嵌合突起６０ｃを嵌合すべく同一軸線上に貫通形成される一対の角穴１３ａ、１３ａと、該角穴１３ａ、１３ａの中心から所定距離離間した位置に係止ピンＰが突設され、これら両支持片５８ａ、５８ｂに相対する取付片５９ａ、５９ｂには前記角穴１３ａ、１３ａに対応して枢軸６０ａが挿通過能な貫通孔４ａと、該貫通孔４ａを中心とする所定半径の円弧孔４ｂが係止ピンＰに対応して形成されている。
【００３６】
次に、このように構成された支持体１３及びディスプレイ取付部材４の組立て手順につき説明する。
【００３７】
即ち、図６に示されるように、支持体１３の両支持片５８ａ、５８ｂの外側に相対させて角穴１３ａと貫通孔４ａの軸心がそれぞれ一致するようにディスプレイ取付部材４の取付片５９ａ、５９ｂを配置して、両支持片５８ａ、５８ｂ外側の係止ピンＰを取付片５９ａ、５９ｂの円弧孔４ｂに挿通係止させ、同時に両支持片５８ａ、５８ｂと取付片５９ａ、５９ｂの間にはそれぞれ円板状の摩擦部材６３を介装する。
【００３８】
そこで、支持体１３両支持片５８ａ、５８ｂの内側から角穴１３ａ、１３ａに一対の枢軸６０ａのねじ部を挿通して、嵌合突起６０ｃを角穴１３ａ、１３ａにそれぞれ嵌合すると同時に摩擦部材６３を挿通したのち、ディスプレイ取付部材４取付片５９ａ、５９ｂの貫通孔４ａを挿通する。
【００３９】
続いて、両支持片５８ａ、５８ｂ、取付片５９ａ、５９ｂを挿通した各枢軸６０ａのねじ部に中間部材としての弾性変形可能な皿座金等を有する座金群Ｍを介して袋ナットＮをそれぞれ軸着する。
【００４０】
このように、各枢軸６０ａのねじ部に袋ナットＮをそれぞれ螺合するに際し、枢軸６０ａの嵌合突起６０ｃが予め角穴１３ａ、１３ａにそれぞれ嵌合されているので、袋ナットＮのみを回しても枢軸６０ａが共回りすることなく、容易に袋ナットＮの締め緩めを片手でも行うことができる。
【００４１】
次に、支持体１３の両支持片５８ａ、５８ｂ内側の同軸上に配置される両枢軸６０ａの頭部６０ｂ間に両頭部６０ｂ間を軸方向外方に押圧付勢するようにねじりコイルバネ６２両端のコイル部を装着する。
【００４２】
同時に、コイルバネ６２一端の係止片６２ａをディスプレイ取付部材４の内側側面に当接すると共に、他端の係止片６２ｂを支持体１３の下面に当接させることにより、ディスプレイ取付部材４が枢軸６０ａを中心として常時上方に回動付勢されることになる。
【００４３】
ディスプレイ取付部材４の一端である外側正面の中央にはディスプレイ１を取付けるためのアダプター５が枢軸等の取付け具Ｃを介して回動可能に取付けられる。
【００４４】
このようにして組み立てられた支持体１３は、該支持体１３後方の下面に垂直に設けられた第１垂直軸７がアーム１２の他端に垂直状態で保持され、この状態はアーム１２の上下揺動移動に関わらず第１、第２リンク１０、１１からなる平行リンク機構により常時垂直状態が維持される。
【００４５】
そして、支持体１３の両支持片５８ａ、５８ｂに枢軸６０ａを介して軸着されるディスプレイ取付部材４の取付片５９ａ、５９ｂ同士は、枢軸６０ａを中心として上下に揺動し、従ってディスプレイ１は、枢軸６０ａの周りに回転自在に保持されているため、図１中に実線で示される垂直位置と２点鎖線で示される上方傾動位置の範囲で上下方向に回動できるようになっている。
【００４６】
次にこのように構成された本発明の第１実施形態としてのディスプレイ支持装置の一部を構成するディスプレイホルダＨ及び、このディスプレイホルダＨを移動するアーム装置３の作用を、以下図面に基づいて説明する。
【００４７】
ディスプレイホルダＨに保持されたディスプレイ１の上下方向の移動は、図１に示されるようにアーム１２の上下回動により行われる。この時、第１垂直軸７は、第１、第２リンク１０、１１からなる平行リンク機構により、ディスプレイ１は、上下移動によって傾動されることなく垂直状態が保持された状態で上下方向に移動される。
【００４８】
よって、使用者はディスプレイ１の手前からディスプレイ１の画面部（図示略）を見ながら上下角度位置を容易に調整することが出来る。なお、ディスプレイ１の上下方向の向きの微妙な調整は、一対の枢軸６０ａを中心としてディスプレイ１を上下に回動させることにより行うことが出来る。
【００４９】
詳しくは、図１及び図７に示されるように、液晶のディスプレイ１はねじりコイルバネ６２により枢軸６０ａを中心として上方に付勢することにより、ディスプレイ１の自重による上方への回動負荷を軽減させており、ねじりコイルバネ６２の付勢力とディスプレイ１の自重とのバランスをとっている。
【００５０】
この場合、アーム１２の他端側に設けられる支持体１３左右の支持片５８ａ、５８ｂとディスプレイ取付部材４の両取付片５９ａ、５９ｂ同士が枢軸６０ａにより別々に軸着されて、両枢軸６０ａ間にねじりコイルバネ６２が介装されるので、従来のように左右の枢軸が締付け力の度合いに影響されずにディスプレイ取付部材４を、ねじりコイルバネに６２に設定された適正な付勢力をディスプレイ自重による負荷が軽減される方向に付勢することができる。
【００５１】
従って、枢軸６０ａに螺着している袋ナットＮを締付けると、両支持片５８ａ、５８ｂと取付片５９ａ、５９ｂの間に介装されている円板状の摩擦部材６３が圧縮されてディスプレイ１を所望の角度位置に容易に位置決めすることができる。
【００５２】
また、ディスプレイ１の角度を変更する場合には、袋ナットＮを緩めることにより、軽い作用力でディスプレイ１を回動させることができる。このように、ディスプレイ１の自重とねじりコイルバネ６２の付勢力とのバランスが微妙に崩れてディスプレイ１が上方又は下方への回動力が生じても、袋ナットＮの締め加減によりディスプレイ１を適正な角度位置に位置決めすることができる。
【００５３】
一方、アーム１２内に設けられたコイルバネ３５は、アーム１２の上方向への回動時において収縮されてアーム１２を上方に付勢するため、アーム装置３の先端にディスプレイ１等の重量物を支持する場合にあっても、小さい力でディスプレイ１を上方に容易に移動出来るとともに、コイルバネ３５がアーム１２の下方向への回動時において伸長することで、ディスプレイ１の急激な落下等が防止されるようになっている。
【００５４】
ここでディスプレイ１を左右方向に移動させる場合には、第１、第２垂直軸７、８のいずれかを中心にアーム１２またはディスプレイ１を回動させればよい。
【００５５】
また、アーム装置３の先端に支持されたディスプレイ１から延出され、本体側に接続すべく電源コードやケーブル類は、図１に示されるように、カバー部材３７と区画板３３との間に形成される配線収納空間３９内から第２垂直軸８の配線収納空間４６の上部から下部へ挿通させた後、下方に延出させることが出来るため、外部に露呈してアーム装置３の移動の邪魔になったり、外部に露呈して外観が損なわれること等がない。
【００５６】
次に、本発明の第２実施形態につき説明する。図８は本発明の第２実施形態としてのディスプレイ支持装置の一部を構成するディスプレイホルダの側面図であり、図９はディスプレイホルダの平面図である。なお、前述した実施形態の構成部分と同一構成部分については、同一符号を付し、重複する説明を省略する。
【００５７】
本実施形態では、前述した実施形態において使用されている袋ナットＮの構造を改良したところが相違している。
【００５８】
すなわち、本実施形態におけるディスプレイ支持装置を構成するディスプレイホルダＨ１は、アーム１２の他端に左右一対の支持片５８ａ、５８ｂを有する支持体１３と、該支持体１３の両支持片５８ａ、５８ｂの各々に対応して両側に配置された取付片５９ａ、５９ｂに、後述する枢軸６０ａを介して上下に回動可能に軸着されたディスプレイ取付部材４とで構成されている。
【００５９】
支持体１３の両支持片５８ａ、５８ｂの外側には、これら両支持片５８ａ、５８ｂに相対させて角穴１３ａと貫通孔４ａの軸心がそれぞれ一致するようにディスプレイ取付部材４の取付片５９ａ、５９ｂが配置されている。
【００６０】
両支持片５８ａ、５８ｂ外側の係止ピンＰは、取付片５９ａ、５９ｂの円弧孔４ｂに挿通係止されると共に、両支持片５８ａ、５８ｂと取付片５９ａ、５９ｂの間にはそれぞれ円板状の摩擦部材６３が介装されている。
【００６１】
両取付片５９ａ、５９ｂの外側に突出した枢軸６０ａのネジ部には、これを挿通係止した座金郡Ｍ１を介して外周がローレット加工された比較的大径の円板状の袋ナットＮ１が螺着されている。
【００６２】
この袋状ナットＮ１の外側面には、半径方向に向けた矢印６４ａが刻設され、両取付片５９ａ、５９ｂの外側側壁には矢印６４ａに対向させて、ディスプレイ取付部材４が所定位置に回動不能に位置決めされた位置を０として、袋状ナットＮ１を締め付ける方向を＋、袋状ナットＮ１を緩める方向を−とする目盛り６４ｂが所定間隔をもって刻設されている。
【００６３】
このように本実施形態においては、袋状ナットＮ１が比較的大径に形成されて、外周にはローレット加工が施されているので、回動操作時に工具類を使用せずに容易に回動することができ、さらに締付部材としての袋ナットＮ１の矢印６４ａを目盛り６４ｂに対応させて回動操作することで、ディスプレイ１を常に所望の位置に適正な締め加減により微妙な角度位置でも容易に位置決め保持することができる。
【００６４】
次に、本発明の第３実施形態につき説明する。図１０は本発明の第３実施形態としてのディスプレイ支持装置の一部を構成する枢軸の軸着部の拡大断面図である。なお、前述した実施形態の構成部分と同一構成部分については、同一符号を付し、重複する説明を省略する。
【００６５】
本実施形態では、前述した実施形態において使用されている円板状の摩擦部材の構造を改良したところが相違している。
【００６６】
ディスプレイ取付部材４の両取付片５９ａ、５９ｂに枢軸６０ａが挿通する部分の外側にはボス５９ｃが一体的に溶接接合されており、このボス５９ｃに形成された貫通テーパー穴５９ｄには外周がテーパー状に形成され、且つ外周端部にフランジ６５ａが形成された摩擦部材６５が挿嵌される。
【００６７】
次に貫通テーパー穴５９ｄに装着された摩擦部材６５の貫通孔６５ｂに枢軸６０ａを挿通したのち、前記枢軸６０ａに挿通した座金郡Ｍ１を介してそのネジ部に袋ナットＮ１を螺合し、この袋ナットＮ１を締め付けることにより摩擦部材６５のテーパー面外周と貫通テーパー穴５９ｄ内周面との間で生ずる摩擦力によりディスプレイ取付部材４の回動角度が所望の位置に位置決めされるようになっている。
【００６８】
このように本実施形態では、相互の接触面がテーパー状に形成されているので、袋ナットＮ１の弱い締め付け力でも摩擦部材６５が軸方向に押圧された際に半径方向には拡大された大きな摩擦力を得ることができ、確実且つ正確な位置決めをすることができる。
【００６９】
以上、本発明の実施例を図面により説明してきたが、具体的な構成はこれら実施例に限られるものではなく、本発明の要旨を逸脱しない範囲における変更や追加があっても本発明に含まれる。
【００７０】
例えば、前述した実施形態におけるディスプレイ１は、図１中に実線で示される垂直位置と２点鎖線で示される傾動位置との間で枢軸６０ａの周りに上下方向に回動できるようになっているが、垂直位置を基準として下方に傾動するように構成されても良く、この場合はディスプレイ１を、枢軸を中心として下方への回動角度位置を締付部材により位置決めするようにしても良い。
【００７１】
【発明の効果】
本発明は以下の効果を奏する。
【００７２】
（ａ）請求項１項の発明によれば、アームの他端側に設けられる支持体左右の支持片とディスプレイ取付部材の両取付片同士が枢軸により別々に軸着されて、両枢軸間にねじりコイルバネが介装されるので、ディスプレイの上下回動角度を調整する際に、ディスプレイの自重による負荷が軽減されて回動操作性が容易になるばかりか、従来のように左右の枢軸の軸着度合いに影響されることなく、ディスプレイ取付部材がねじりコイルバネに設定された適正な付勢力が、ディスプレイの自重による負荷が軽減される方向に付勢されるためディスプレイの上下角度を容易に設定することができる。
【００７３】
（ｂ）請求項２項の発明によれば、両支持片と取付片同士の上下回動位置が、枢軸を軸着することにより生ずる摩擦部材の摩擦力により、上方に付勢されるディスプレイ取付部材を所望の角度位置に容易に位置決めすることができる。
【００７４】
（ｃ）請求項３項の発明によれば、ディスプレイの自重とねじりコイルバネの付勢力とのバランスが微妙に崩れてディスプレイが上方又は下方への回動力が生じても、締付部材の締め加減により適正な角度位置に位置決めすることができる。
【００７５】
（ｄ）請求項４項の発明によれば、ディスプレイを適正な締め加減により常に所望の角度位置に締め付けることができる。
【００７６】
（ｅ）請求項５項の発明によれば、相互の接触面がテーパー状に形成されているので、締付部材の弱い締め付け力でも大きな摩擦力を得ることができ、ディスプレイを所望の角度位置に確実に位置決めすることができる。
【図面の簡単な説明】
【図１】本発明のディスプレイ支持装置が取り付けられるアームの側面図である。
【図２】本発明のディスプレイ支持装置が取り付けられたアームの動作説明図である。
【図３】アームの内部構造を示す一部破断断面図である。
【図４】図３のＢ−Ｂ断面図である。
【図５】図１のＡ−Ａ断面図である。
【図６】本発明の第１実施形態としてのディスプレイ支持装置の一部を構成するディスプレイホルダの分解組立斜視図である。
【図７】ディスプレイホルダの平面図である。
【図８】本発明の第２実施形態としてのディスプレイ支持装置の一部を構成するディスプレイホルダの側面図である。
【図９】ディスプレイホルダの平面図である。
【図１０】本発明の第３実施形態としてのディスプレイ支持装置の一部を構成する枢軸の軸着部の拡大断面図である。
【符号の説明】
１            ディスプレイ
２            天板
３            アーム装置
４            ディスプレイ取付部材
４ａ          貫通孔
４ｂ          円弧孔
５            アダプター
７            第１垂直軸
８            第２垂直軸
８ａ          筒状部材
８ｂ          支持板
９ａ〜９ｄ    水平軸
１０          第１リンク
１０ａ        側板
１０ｂ        上板
１０ｃ        下面
１１          第２リンク
１１ａ        側板
１２          アーム
１３          支持体
１３ａ        角穴
１４          ブラケット
１４ａ        上板
１５          固定基部
３３          区画板
３３ａ        垂直板
３３ｂ        水平板
３３ｃ        傾斜板
３４          付勢力調整機構
３５          コイルバネ
３６          係合孔
３７          カバー部材
３８          係止部
３９          配線収納空間
４０          取付板
４１          筒状部材
４２          支持棒
４３          支持部材
４４          溝部
４５          棒材
４６          配線収納空間
４７          係止片
４８          係止溝
４９          調整ボルト
５０          挿通孔
５１          垂直片
５２          摺接板
５３          摺接部材
５４          長溝
５５          ナット
５８ａ、５８ｂ支持片
５９ａ、５９ｂ取付片
５９ｃ        ボス
５９ｄ        テーパー穴
６０ａ        枢軸
６０ｂ        頭部
６０ｃ        嵌合突起
６２          ねじりコイルバネ
６２ａ、６２ｂ係止片
６３          摩擦部材
６４ａ        矢印
６４ｂ        目盛り
６５          摩擦部材
６５ａ        フランジ
６５ｂ        貫通孔
Ｃ            取付具
Ｈ、Ｈ１      ディスプレイホルダ
Ｍ、Ｍ１      座金群
Ｎ、Ｎ１      袋ナット
Ｐ            係止ピン
Ｓ            空間部
【図１】
0004495284.tif 000002
【図２】
0004495284.tif 000003
【図３】
0004495284.tif 000004
【図４】
0004495284.tif 000005
【図５】
0004495284.tif 000006
【図６】
0004495284.tif 000007
【図７】
0004495284.tif 000008
【図８】
0004495284.tif 000009
【図９】
0004495284.tif 000010
【図１０】
0004495284.tif 000011